(57)【要約】【課題】収縮フィルム越しに特定の旋回方向の円偏光を選択反射する光学機能層を観察した場合に、右旋回または左旋回の円偏光を選択的に観察することができる技術を提供する。【解決手段】収縮させることで対象物の少なくとも一部を被覆する透明な収縮フィルム１００において、収縮フィルム１００の対象物に接触する側に特定の旋回方向の円偏光を選択的に反射するコレステリック液晶層を配置する。収縮フィルム１００は、収縮し対象物を被覆した状態において、透過光の偏光状態を乱さない光学特性または（ｎλ／２）板として機能する光学特性を有している。【選択図】図１
2014085393.tif 000002
【特許請求の範囲】
【請求項１】
収縮させることで対象物の少なくとも一部を被覆する少なくとも一部が透明なフィルムを有し、
前記フィルムの前記少なくとも一部における前記対象物に接触する側に特定の旋回方向の円偏光を選択的に反射する光学機能層が設けられており、
前記フィルムは、収縮し前記対象物を被覆した状態において、透過光の偏光状態を乱さない光学特性または（ｎλ／２）板（nは奇数）として機能する光学特性を有することを特徴とする被覆部材。
【請求項２】
前記光学機能層がコレステリック液晶層であることを特徴とする請求項１に記載の被覆部材。
【請求項３】
前記コレステリック液晶層にホログラム加工が施されていることを特徴とする請求項２に記載の被覆部材。
【請求項４】
前記フィルムおよび前記光学機能層にミシン目が形成されていることを特徴とする請求項１〜３のいずれか一項に記載の被覆部材。
【請求項５】
前記フィルムは、前記収縮する方向と直交する方向に延伸されている事を特徴とする請求項１〜４のいずれか一項に記載の被覆部材。
【発明の詳細な説明】
【技術分野】
【０００１】
本発明は、液体容器等の包装に用いられる収縮フィルム（シュリンクフィルムとも呼ばれる）に真贋判定機能を付与する技術に関する。
【背景技術】
【０００２】
識別媒体として、コレステリック液晶にホログラム加工を施す技術が知られている（例えば、特許文献１参照）。また、飲料ボトルを覆う収縮フィルムに窓を設け、内側からホログラムを貼る技術が知られている（例えば、特許文献２参照）。
【先行技術文献】
【特許文献】
【０００３】
【特許文献１】特許第４２６８３３６号公報
【特許文献２】特許第５０１４４０５号公報
【発明の開示】
【発明が解決しようとする課題】
【０００４】
特許文献１に記載されたコレステリック液晶を用いた識別媒体は、コレステリック液晶の特定の旋回方向の円偏光を選択反射するという光学特性を利用して識別を行うものであるが、これを特許文献２の収縮フィルムに適用した場合、特定の旋回方向の円偏光を用いた識別機能が阻害されるという問題が発生する。すなわち、一般に収縮フィルムは、特定の温度条件において、樹脂フィルムを延伸し、この延伸した状態のものを先の特定の温度条件（あるいは実験的に求められた温度条件）の環境下におくと、延伸した状態から元に戻ろうと収縮（シュリンク）する現象を利用している。
【０００５】
ところで、樹脂フィルムを延伸した場合、延伸することで複屈折性（屈折率異方性）が現れるが、収縮させた際に延伸した状態が完全に戻る訳ではないので、収縮した状態で収縮フィルムは複屈折性を示す。このため、収縮した状態の収縮フィルム越しにコレステリック液晶を観察した場合に、コレステリック液晶から選択反射された右円偏光または左円偏光は、収縮フィルムを透過した際にその偏光状態が乱される。この結果、右円偏光フィルタと左円偏光フィルタとを切り替えて観察した場合における反射光の視認の有無の切り替わりが曖昧になり、識別機能が低下する。つまり、偏光状態の乱れがない場合は、コレステリック液晶からの反射光が右円偏光フィルタで見え、左円偏光フィルタで見えない（あるいはその逆の）光学機能が得られ、この見た目の切り替わりによって識別が可能となるが、上述した偏光状態の乱れが生じると、コレステリック液晶からの反射光が右円偏光フィルタでも見え、左円偏光フィルタでも見える状態となり、識別性が低下する。
【０００６】
このような背景において、本発明は、収縮フィルム越しに特定の旋回方向の円偏光を選択反射する光学機能層を観察した場合に、右旋回または左旋回の円偏光を選択的に観察することができる技術を提供することを目的とする。
【課題を解決するための手段】
【０００７】
請求項１に記載の発明は、収縮させることで対象物の少なくとも一部を被覆する少なくとも一部が透明なフィルムを有し、前記フィルムの前記少なくとも一部における前記対象物に接触する側に特定の旋回方向の円偏光を選択的に反射する光学機能層が設けられており、前記フィルムは、収縮し前記対象物を被覆した状態において、透過光の偏光状態を乱さない光学特性または（ｎλ／２）板（nは奇数）として機能する光学特性を有することを特徴とする被覆部材である。
【０００８】
本発明によれば、収縮する性質を付与したフィルムを透過する円偏光の偏光状態が乱されない、あるいは当該フィルムを透過する円偏光の旋回方向が反転するので、左右の円偏光フィルタを介した観察における光学機能層からの反射光の視認の有無の切り替わりを明瞭に得ることができる。
【０００９】
本発明におけるフィルムは、光学機能層が設けられる部分が透明であれば、他の部分は透明でなくてもよい（勿論、全体が透明でもよい）。透明というのは、透けて向こう側が見える程度の可視光の透過性があることをいう。したがって、本明細書で用いる透明という語意には、文字通り透明な場合に加えて、色がついていたり曇っていたりするが向こう側が透けて見える半透明の場合も含まれる。
【００１０】
本発明において、被覆する対象は限定されないが、例えば、被覆する対象として飲料物が入ったボトルが挙げられる。ここで、ボトルの材質は、限定されず、例えば、ガラス、樹脂、陶器、金属、木材等が挙げられる。被覆は、対象物の少なくとも一部であればよく、その一部であっても良いし全部であってもよい。被覆は、対象物を締め付けることで、当該被覆部材が対象物に対して動かない状態であってもよいし、被覆した状態で対象物に対して当該被覆部材が動かせる状態であってもよい。
【００１１】
請求項２に記載の発明は、請求項１に記載の発明において、前記光学機能層がコレステリック液晶層であることを特徴とする。コレステリック液晶層は、特定の旋回方向で、且つ、特定の中心波長の光を選択的に反射する特性を有している。例えば、コレステリック液晶層が右円偏光を選択反射する特性に設定されている場合、当該コレステリック液晶層からの反射光は、右円偏光フィルタを介して観察した場合に見えるが、左円偏光フィルタを介して観察した場合は、左円偏光フィルタで右円偏光が遮断されるので、見ることができない。この切り替わりを利用して真贋判定を行なうことができる。
【００１２】
請求項３に記載の発明は、請求項２に記載の発明において、前記コレステリック液晶層にホログラム加工が施されていることを特徴とする。請求項２に記載の発明によれば、左右の円偏光フィルタを切り替えての観察において、ホログラム像の観察の有無による識別を行なうことができ、高い識別性が得られる。
【００１３】
請求項４に記載の発明は、請求項１〜３のいずれか一項に記載の発明において、前記フィルムおよび前記光学機能層にミシン目が形成されていることを特徴とする。請求項４に記載の発明によれば、当該フィルムを対象物から外そうとした際に、ミシン目で破断が生じ、その痕跡が明瞭に残る。特に、光学機能層にもミシン目を形成することで、光学機能層の破断も同時に生じ、その痕跡が明瞭に視認できる。このため、当該被覆部材の不正な再利用を防止する効果が高まる。
【００１４】
請求項５に記載の発明は、請求項１〜４のいずれか一項に記載の発明において、前記フィルムは、前記収縮する方向と直交する方向に延伸されている事を特徴とする。収縮フィルムは、加熱した状態で延伸し、再加熱時にこの延伸方向に沿って収縮する特性を利用している。他方で、樹脂のフィルムを延伸することで複屈折性が現れる。本発明は、この収縮特性を得るための延伸によって生じた複屈折性を消滅または制御することで（ｎλ／２）板（ｎは奇数）とすることを特徴としている。請求項５の記載の発明によれば、収縮のための延伸とは別に、この延伸方向と直交する方向に収縮が生じない常温での延伸を行なうことで、収縮のための延伸による複屈折効果をキャンセルし、あるいは意図的に（ｎλ／２）板となるように屈折率異方性を制御することを特徴とする。すなわち、請求項５に記載の発明では、収縮を生じさせるための延伸に加えて、それに直交する方向の延伸を行なうことで、屈折率異方性がない状態、あるいは意図する屈折率異方性を有した状態を実現している。
【発明の効果】
【００１５】
本発明によれば、収縮フィルム越しに特定の旋回方向の円偏光を選択反射する光学機能層を観察した場合に、右旋回または左旋回の円偏光を選択的に観察することができる技術が提供される。
【図面の簡単な説明】
【００１６】
【図１】実施形態の斜視図である。
【図２】図１の一部断面図である。
【発明を実施するための形態】
【００１７】
（構造）
１．第１の実施形態
図１には、収縮フィルム１００が示されている。収縮フィルム１００は、可視光を透過する厚さ５０μｍのポリスチレンフィルムにより構成されている。収縮フィルム１００の厚さは、特に限定されないが、例えば１０μｍ〜２００μｍ程度の範囲から選択することができる。ここで、収縮フィルム１００をポリスチレンフィルムにより構成する例を説明するが、収縮フィルムの構成材料としては、可視光を透過する樹脂材料、例えばＰＥＴ（ポリエチレンテレフタレート）、ＰＰ（ポリプロピレン）、ＰＶＣ（ポリビニルクロライド）、それらの複合材料等を用いることができる。収縮フィルム１００は、フィルム状のものを図示しない溶着部で熱圧着もしくは溶剤接着により接続し、図示するような円筒形状に加工されている。
【００１８】
収縮フィルム１００は、８０℃〜１００℃程度の温度環境下において、図の円筒形状における周方向に機械的に延伸したものにより構成されている。収縮フィルム１００をＰＥＴボトルやガラス瓶等の蓋の部分に被せ、上記温度に加熱すると、延伸されたものが元に戻ろうと縮み（収縮し）、当該蓋の形状に沿った状態で、当該ＰＥＴボトルやガラス瓶に密着し、収縮フィルム１００がキャップシールとして機能する状態となる。なお、上記の温度条件は、一例であり、その詳細は、収縮フィルム１００を構成するフィルム材料の製造条件、材質、厚さ等によって異なるので、実験的に求めたものが用いられる。
【００１９】
ここで、収縮フィルム１００は、収縮させた状態において、透過する可視光の偏光状態を乱さない光学特性に調整されている。なお、収縮させる前の段階で、透過する可視光の偏光状態を乱さない光学特性に調整する設定も可能である。この場合、収縮させた際に、縮んだ方向の屈折率が僅かに変化し、僅かに複屈折性が現れ、その影響が僅かであるが発生するが、実用上は使用可能である。勿論、最終的に収縮した状態で透過する可視光の偏光状態を乱さない光学特性に調整する設定の方がより好ましい。
【００２０】
図２には、図１の符号１０３の部分の断面図が示されている。図１および図２に示すように、収縮フィルム１００の表面には、印刷層１０１が形成されている。印刷層は１００の裏面に設けてもよい。印刷層１０１は、通常のインクによる印刷であり、この印刷により、装飾のための色彩、文字や図形等の図柄が形成されている。印刷層１０１の一部に矩形形状の窓１０２が設けられている。窓１０２の部分の裏面側、つまり窓１０２の部分における収縮フィルム１００の被覆対象物に接する面の側に識別媒体２００が固定されている。窓１０２の部分において収縮フィルム１００の表面が露出し、そこから収縮フィルム１００越しに、その裏面側の識別媒体２００を観察することができる。
【００２１】
識別媒体２００は、基材フィルム２０１、コレステリック液晶層２０２、透明粘着層２０４と積層された構造を有している。基材フィルム２０１は、コレステリック液晶層２０２を支える基材であり、例えば、ＰＥＴフィルム、ＴＡＣ(トリアセチルセルロース)フィルム等の樹脂フィルムが利用される。
【００２２】
コレステリック液晶層２０２は、光学機能層の一例である。コレステリック液晶層２００は、赤の右円偏光を選択反射する特性に設定されている。コレステリック液晶層２０２が選択反射する円偏光の旋回方向は左円偏光であってもよい。また、コレステリック液晶層２０２が選択反射する波長は、赤に対応する波長に限定されず、視認できる波長であれば、緑等の他の波長であってもよい。
【００２３】
コレステリック液晶層２０２には、型を押し付けることでエンボス模様を形成したホログラム加工２０３が施されている。ホログラム加工２０３により、識別のためのホログラム図柄が形成されている。このホログラム図柄は、文字や図形等の識別できるものとされている。透明な粘着層２０４は、可視光を透過する粘着材料により構成されている。透明な粘着層２０４により、識別媒体２００が収縮フィルム１００の窓１０２の裏面側に当たる部分に貼り付けられている。
【００２４】
収縮フィルム１００には、ミシン目１０３ａおよび１０３ｂが設けられている。ミシン目１０３ａおよび１０３ｂは、識別媒体２００にもかかるように形成されている。ミシン目１０３ａおよび１０３ｂは、収縮フィルム１００に識別媒体２００を固定し、図２の状態を得た段階で、ミシン目を形成する加工装置を用いて収縮フィルム１００および識別媒体２００に対して形成される。また、ミシン目１０３ａと１０３ｂで挟まれた細長い領域の延長線上には、摘み部１０４が設けられている。摘み部１０４は、円筒形状に加工された収縮フィルム１００から軸方向外側に突出した指で摘むための部分である。対象物（例えば、飲料水用のボトル）から収縮フィルム１００を取り除く際、摘み部１０４を指で摘み、図１の上方向に引き上げることで、ミシン目１０３ａと１０３ｂに破断が生じる。
【００２５】
（収縮フィルムの製造方法）
図１および２に示す収縮フィルム１００の製造方法の一例を説明する。ここでは、収縮させた状態において、透過する可視光の偏光の状態を乱さない特性のものを製造する場合の例を説明する。
【００２６】
（１）まず、透明な樹脂フィルム（例えば、ポリスチレンフィルム）を用意する。これを常温（例えば、１８℃〜２５℃）の環境下で延伸し、所定の複屈折性（屈折率異方性）を付与する。（２）（１）で得た樹脂フィルムを所定の温度環境下（例えば、８０℃〜１００℃）で延伸し、再加熱時に収縮する特性を付与する。この際、（１）と９０度異なる方向に延伸する。（３）（２）の処理後に冷却した当該樹脂フィルムを再加熱（例えば、８０℃〜１００℃）し、当該樹脂フィルムを収縮させる。（４）最終的に収縮した状態における複屈折性を測定する。
【００２７】
（４）において、複屈折性が残存している場合、（１）の条件を変更し、再度別のサンプルに対して（１）〜（４）の作業を繰り返す。そして、（４）における測定で当該樹脂フィルムの複屈折性が観察されない（あるいは、許容できるレベル以下となる）状態が得られたら、その際の（１）の条件を採用し、収縮フィルム１００を製造する。なお、収縮させる前の段階で透過する可視光の偏光の状態を乱さない特性のものを製造する場合、（３）の工程を省き、同様の作業を行う。
【００２８】
（識別機能）
ここでは、加熱によって収縮させることで、図１の収縮フィルムで飲料ボトルの蓋付近を含む部分を被覆した状態を対象として説明する。この状態において、窓１０２を直接観察すると、コレステリック液晶層２０２からの赤の反射光が観察され、ホログラム加工２０３に起因する赤のホログラム像が観察される。
【００２９】
そして、右円偏光を選択的に透過する右円偏光フィルタを介して窓１０２を観察すると、コレステリック液晶層２０２からの赤の右円偏光の反射光が右円偏光フィルタを透過するので、それを選択的に視認でき、ホログラム加工２０３に起因する赤のホログラム像を直視した場合よりもより鮮明に観察できる。
【００３０】
また、左円偏光を選択的に透過する左円偏光フィルタを介して窓１０２を観察すると、コレステリック液晶層２０２からの赤の右円偏光の反射光が左円偏光フィルタで遮断されるので、ホログラム加工２０３に起因する赤のホログラム像が見えなくなる。ここで、コレステリック液晶層２０２の背後が着色されていれば、その色に窓１０２が見える。例えば、コレステリック液晶層２０２の背後が暗色であれば、窓１０２は同様の暗色に見える。
【００３１】
（開封シールとしての機能）
ＰＥＴボトルやガラス瓶の蓋の部分を収縮フィルム１００で覆った状態において、当該蓋を開けると、ミシン目１０３ａおよび１０３ｂの少なくとも一方が破断し、収縮フィルム１００が破断すると共に、識別媒体２００も破断する。破断した識別媒体２００は、その痕跡が明確に確認できるので、当該蓋を開封した痕跡が明確に残る。つまり、収縮フィルム１００を開封の事実が痕跡として明確に残る開封シールとして機能させることができる。
【００３２】
なお、収縮フィルム１００が収縮し、ボトル等の蓋を被覆している状態から、蓋を開ける場合、まず摘み部１０４を指で摘み、図１の上方向に引き上げる。この際、ミシン目１０３ａと１０３ｂに破断が生じ、ボトル等の蓋を被覆している収縮フィルム１００を取り除くことができる。
【００３３】
（再利用防止機能）
収縮フィルム１００が収縮し、ボトル等の蓋を被覆している状態から、収縮フィルム１００を剥がそうとすると、ミシン目１０３ａおよび１０３ｂの少なくとも一方のミシン目が破断し、収縮フィルム１００が破断すると共に、識別媒体２００も破断する。このため、識別媒体２００の再利用が防止される。
【００３４】
（優位性）
左右の円偏光フィルタを用いた観察において、右円偏光フィルタと左円偏光フィルタの切り替えを行うことで、ホログラム像の観察の有無が切り替わり、それにより真贋の判定を行なうことができる。この際、透過する光の偏光特性を乱さないように収縮フィルム１００の光学特性を調整しているので、ホログラム像の切り替わりが鮮明に観察され、高い識別機能が得られる。
【００３５】
仮に、収縮フィルム１００の光学特性を上記のように調整していない場合、複屈折効果により円偏光が当該収縮フィルム１００を透過時に楕円偏光に変化する。その結果、左右の円偏光フィルタの切り替えによるホログラム像の視認状態の切り替わりが明確でなくなり、識別機能が低いものとなる。なお、収縮フィルム１００が後述する実施形態２の場合のように（ｎλ／２）板として機能する複屈折性を有する場合は、透過する円偏光の旋回方向が反転するだけであるので、左右の円偏光フィルタの切り替えによるホログラム像の視認状態の切り替わりが明確に得られる。
【００３６】
収縮フィルム１００が収縮し、ボトル等を被覆した状態において、当該収縮フィルム１００を強制的に剥がそうとすると、ミシン目１０３ａおよび１０３ｂの部分で破断が生じ、識別媒体２００が破断する。このため、識別媒体２００の不正な再利用が防止される。
【００３７】
例えば、収縮フィルム１００をボトルのキャップシールとして用いた場合、キャップシールによる当該ボトルおよびその中身の真贋判定が可能となり、更に開封シールとしての機能により、中身の詰め替えを防止できる。
【００３８】
２．第２の実施形態
本実施形態では、第１の実施形態において、収縮フィルム１００が収縮前の状態または収縮した状態において、（ｎλ／２）板（ｎは奇数）として機能する複屈折性を持つように設定する。すなわち、収縮フィルム１００を収縮前の状態または収縮した状態において、透過する光の直交する２軸方向における位相差が（ｎλ／２）ずれる光学異方性を有するように設定する。他は、第１の実施形態と同じである。本実施形態では、収縮フィルム１００が収縮前の状態または収縮した状態において、（ｎλ／２）板として機能する複屈折性を持つように、第１の実施形態における（１）の条件を調整する。なお、以下の説明において、（ｎλ／２）板という記載におけるｎは、全て奇数である。一般に、ｎは、ｎ＝１が選択されるが、奇数であればそれ以外の値(例えば、ｎ＝３やｎ＝５)を選択することも可能である
【００３９】
（識別機能）
ここでは、図１の収縮フィルムを飲料ボトルに収縮させて被覆した状態を対象として説明する。この状態において、窓１０２を直接観察すると、コレステリック液晶層２０２からの赤の反射光が観察され、ホログラム加工２０３に起因する赤のホログラム像が観察される。
【００４０】
ここで、コレステリック液晶層２０２は、赤の右円偏光を選択反射するが、この右円偏光は、（ｎλ／２）板として機能する収縮フィルム１００を透過することで、旋回方向が反転し、左円偏光となる。したがって、右円偏光フィルタを介して窓１０２を観察した場合、窓１０２から出射するコレステリック液晶層２０２からの反射光は左円偏光なので、当該反射光は右円偏光フィルタで遮断され、ホログラム加工２０３に起因する赤のホログラム像は見えない。この場合、コレステリック液晶層２０２の背後が着色されていれば、その色に窓１０２が見える。例えば、コレステリック液晶層２０２の背後が暗色であれば、窓１０２は同様の暗色に見える。
【００４１】
また、左円偏光フィルタを介して窓１０２を観察すると、収縮フィルム１００を透過することで左円偏光となったコレステリック液晶層２０２からの反射光が左円偏光フィルタを透過するので、ホログラム加工２０３に起因する赤のホログラム像が直視した場合に比較してより鮮明に見える。つまり、第１の実施形態の場合とは逆に、右円偏光フィルタを介した観察においてホログラム像が見えず、左円偏光フィルタを介した観察においてホログラム像が優先的に見えるスイッチング特性が得られる。
【００４２】
仮に、収縮した状態における収縮フィルム１００が（ｎλ／２）板として機能する状態ではなく、且つ、透過する光の偏光の状態を乱さない状態(つまり、第１の実施形態の状態)でもない場合、コレステリック液晶層２０２から反射された赤の右円偏光は、収縮フィルム１００を透過することで、楕円偏光となり、左右の円偏光フィルタで観察可能となる。この場合、上述した明確なスイッチング効果が観察できず、識別性は低下する。
【００４３】
（開封シールとしての機能）
第１の実施形態の場合と同じである。
【００４４】
（再利用防止機能）
第１の実施形態の場合と同じである。
【００４５】
（優位性）
第１の実施形態の場合と同じである。
【００４６】
３．第３の実施形態
収縮を生じさせるための延伸のみで、収縮フィルム１００を（ｎλ／２）板として機能する状態とすることも可能である。この場合、収縮を生じさせるための加熱しながらの延伸工程において、収縮フィルム１００に生じる屈折率異方性が（ｎλ／２）板のものとなるように、延伸作業の条件を調整する。
【００４７】
４．その他
コレステリック液晶層に形成されたホログラムと重なるようにインクによる印刷図柄を形成してもよい。この印刷図柄は、収縮フィルム上や基材フィルム上に形成することができる。ミシン目の数は、２本に限定されず、１本や３本以上であってもよい。ボトル等を収縮フィルムで覆う部分は、ボトル等の蓋の部分に限定されず、その本体の部分であってもよい。また、収縮フィルムが覆う対象は、飲料用の液体が詰まった容器に限定されず、各種の食品や物品、あるいは各種のパッケージ等であってもよい。印刷層１０１の面積は例示したものに限定されず、窓１０２以外で透明な部分があってもよい。また、印刷層１０１を設けず、全体が透明で、一部に識別媒体２００が取り付けられた構造も可能である。また、識別媒体２００を視認できる範囲で収縮フィルム１００を着色された材料で構成することも可能である。また、収縮フィルム１００のボトルに接する面に粘着層を設け、この粘着層の機能により対象物に収縮フィルム１００を固着させてもよい。
【００４８】
実施形態では、収縮フィルムが一方向に収縮する場合の例を示したが、加熱しつつ延伸する工程において多方向への延伸を行なうことで、再加熱時に２次元的に収縮する特性を付与することも可能である。この場合、収縮した状態で透過光の偏光状態を乱さない特性または（ｎλ／２）板となるように、上述した（１）の工程の条件を調整する。また、収縮した状態で透過光の偏光状態を乱さない特性または（ｎλ／２）板となるようにする方法として、（１）の工程に加えて（２）の工程（あるいは（２）の工程のみ）の条件を調整する方法も可能である。
【００４９】
光学機能層としては、コレステリック液晶層を用いる以外に、円偏光フィルタと光反射層とを積層し、特定の旋回方向の円偏光を選択的に反射する構造を採用することもできる。また、コレステリック液晶層の下側（非観察面側）に反射層、円偏光フィルタ層、異なる屈折率の光透過性のフィルムを多層に積層した多層薄膜等を配置することも可能である。
【産業上の利用可能性】
【００５０】
本発明は、真贋の判定を行うための技術に利用することができる。
【符号の説明】
【００５１】
１００…収縮フィルム、１０１…印刷層、１０２…窓、１０３ａ…ミシン目、１０３ｂ…ミシン目、１０４…摘み部、２００…識別媒体、２０１…基材フィルム、２０２…コレステリック液晶層、２０３…ホログラム加工、２０４…透明粘着層。
【図１】
2014085393.tif 000003
【図２】
2014085393.tif 000004